(57)【特許請求の範囲】
【請求項１】
許容偏心誤差の範囲で貼り合せられたディスク状の第１層及び第２層を有する情報記録媒体であって、
前記第１層及び第２層に含まれたトラックに沿って、所定間隔毎に、前記第1層では内周側から外周側に向かって、前記第２層では外周側から内周側に向かってオポジットに配置された物理アドレスを備え、
前記第１層は、
所定の半径位置に配置されたリードイン領域と、
前記リードイン領域より外周側に配置された領域であって、前記リードイン領域の光反射率及び光吸収率と異なる光反射率及び光吸収率を有し、ユーザデータが記録されるデータ領域と、
を備え、
前記リードイン領域は、
前記リードイン領域の最内周の半径位置から外周側に向かって第１の半径距離までの間に配置された第１のガードトラックと、
前記リードイン領域の最外周の半径位置から内周側に向かって第２の半径距離までの間に配置された第２のガードトラックと、
前記第１及び第２のガードトラックの間に配置され、エンボスデータが記録されたデータトラックと、
を備え、
前記許容偏心誤差をＸ、前記第１層及び第２層の層間距離をｔ、前記第１層及び第２層に対する記録再生用の対物レンズの開口数をｎ・ｓｉｎθ（ｎ：第１層及び第２層の層間に配置される中間層の屈折率）と定義すると、
半径方向に対して（Ｘ＋ｔ・ｔａｎθ）の幅を有する領域に設けられた前記第１及び第２ガードトラックにより前記許容偏心誤差を吸収させることを特徴とする情報記録媒体。
【請求項２】
請求項１に記載の情報記録媒体を再生する情報再生装置であって、
前記第１及び第２のガードトラックにより前記許容偏心誤差の影響がカットされた前記データトラックから前記エンボスデータを再生する再生手段を備えたことを特徴とする情報再生装置。
【請求項３】
請求項１に記載の情報記録媒体を再生する情報再生方法であって、
前記第１及び第２のガードトラックにより前記許容偏心誤差の影響がカットされた前記データトラックから前記エンボスデータを再生することを特徴とする情報再生方法。
【請求項４】
請求項１に記載の情報記録媒体に対してデータを記録する情報記録装置であって、
前記第１及び第２のガードトラックにより前記許容偏心誤差の影響がカットされた前記データトラックから前記エンボスデータを再生する再生手段と、
前記再生手段により再生されたデータに基づき、前記データ領域に対してデータを記録する記録手段と、
を備えたことを特徴とする情報記録装置。
【請求項５】
請求項１に記載の情報記録媒体に対してデータを記録する情報記録方法であって、
前記第１及び第２のガードトラックにより前記許容偏心誤差の影響がカットされた前記データトラックから前記エンボスデータを再生し、前記データ領域に対してデータを記録することを特徴とする情報記録方法。
【発明の詳細な説明】
【０００１】
【発明の属する技術分野】
この発明は、情報記録層を複数有する光学式情報記録媒体に関する。また、このような情報記録媒体を再生する情報再生装置及び情報再生方法に関する。
【０００２】
【従来の技術】
近年ＣＤ（コンパクトディスク）の約７倍もの容量を有するＤＶＤが開発され、普及しつつある。ＤＶＤディスクには、その特性上、再生専用のＤＶＤ−ＲＯＭディスク、追記形のＤＶＤ−Ｒディスク、書換形のＤＶＤ−ＲＡＭディスクなどがある。ＤＶＤディスクは、主情報の他に補助情報を記録したリードイン領域を有する。例えば、ＤＶＤ−ＲＡＭディスクを規定するＪＩＳ  Ｘ  ６２４３によれば、データ書換可能な主情報記録領域であるデータゾーンの内周側にエンボスプリピット列によるリードインゾーンが設けられている。このエンボスリードインゾーンには、ディスクの構造や記録再生パラメータなど物理フォーマット情報が記録されている。また、ＤＶＤ−ＲＯＭディスクには、ＪＩＳ  Ｘ  ６２４１によれば、片面２層のものもあり、片面１層のディスクに比べて面当たりの大容量化が図られている。近年ＲＯＭディスクだけでなく、書換型ディスクの２層化の研究開発も進められている。
【０００３】
【発明が解決しようとする課題】
書換型ディスクの２層化に当たっては、他の層（対物レンズ側から見て奥の層又は手前の層）からの影響があり、これの対策方法が、例えば特開２０００−３６１３０号公報に提案されている。特開２０００−３６１３０号公報においては、第１層と第２層の反射率及び光吸収率の関係を限定すること、さらに対物レンズから見て奥に位置する第２層への記録に先んじて手前の第１層への記録を行うことで、データ書換可能領域の他の層からの影響を低減し、記録再生が可能になるようにしている。
【０００４】
しかしながら、書換型ディスクの２層化に当たっては、偏心誤差による他の層からの影響がさらに問題となる。リードインゾーンとデータゾーンとは、光反射率及び光吸収率が異なる。偏心誤差が全くなければ、第１層におけるリードインゾーン及びデータゾーンと、第２層におけるリードインゾーン及びデータゾーンとが、全く同じ半径位置に配置されることになり、他の層からの影響をある程度予測して対策することができる。しかし、全く偏心誤差のないディスクの製造はほぼ不可能である。このため、第１層におけるリードインゾーン及びデータゾーンと、第２層におけるリードインゾーン及びデータゾーンとの夫々の半径位置が微妙に異なる。このことが、リードインゾーン及びデータゾーンの境界付近の再生時に多大な影響を及ぼし、結果的に再生が不安定になるという問題があった。
【０００５】
特開昭６２−２８５２３２には、データ再生専用領域とデータ記録領域との境界の前後にそれぞれデータの記録再生を行なわないガード領域を形成した光ディスクが開示されている。しかし、偏心誤差対策を想定したものではなく、この技術により上記した問題の解決には至らない。
【０００６】
この発明の目的は、上記したような事情に鑑み成されたものであって、下記の情報記録媒体、情報再生装置、及び情報再生方法を提供することにある。
【０００７】
（１）複数の情報記録層の偏心誤差を吸収して、偏心誤差の影響により再生が不安定になるのを防止することが可能な情報記録媒体。
【０００８】
（２）複数の情報記録層の偏心誤差の影響を受けることなく、正確に情報を再生することが可能な情報再生装置。
【０００９】
（３）複数の情報記録層の偏心誤差の影響を受けることなく、正確に情報を再生することが可能な情報再生方法。
【００１０】
【課題を解決するための手段】
上記課題を解決し目的を達成するために、この発明の情報記録媒体、情報再生装置、及び情報再生方法は、以下のように構成されている。
【００１１】
（１）この発明の情報記録媒体は、許容偏心誤差の範囲で貼り合せられたディスク状の複数の情報記録層を有する情報記録媒体であって、前記各情報記録層は、所定の半径位置に配置されたエンボスリードイン領域と、前記エンボスリードイン領域に隣接しこの領域より外周側に配置された領域であって、相変化記録マークによりユーザデータが記録されるデータ領域と、を備え、前記エンボスリードイン領域は、前記エンボスリードイン領域の最内周の半径位置から外周側に向かって第１の半径距離までの間に配置される第１のガードトラックと、前記エンボスリードイン領域の最外周の半径位置から内周側に向かって第２の半径距離までの間に配置される第２のガードトラックと、前記第１及び第２のガードトラックの間に配置され、エンボスピットによりリードインデータが記録されたデータ記録トラックと、を備えている。
【００１２】
（２）この発明の情報再生装置は、以下の情報記録媒体を再生する情報再生装置であって、その情報記録媒体は、所定の半径位置に配置されたエンボスリードイン領域と、前記エンボスリードイン領域に隣接しこの領域より外周側に配置された領域であって、相変化記録マークによりユーザデータが記録されるデータ領域と、を備え、前記エンボスリードイン領域は、前記エンボスリードイン領域の最内周の半径位置から外周側に向かって第１の半径距離までの間に配置される第１のガードトラックと、前記エンボスリードイン領域の最外周の半径位置から内周側に向かって第２の半径距離までの間に配置される第２のガードトラックと、前記第１及び第２のガードトラックの間に配置され、エンボスピットによりリードインデータが記録されたデータ記録トラックと、を備え、前記第１及び第２のガードトラックにより前記許容偏心誤差が吸収された前記データ記録トラックから前記リードインデータを再生する再生手段を備えている。
【００１３】
（３）この発明の情報再生方法は、以下の情報記録媒体を再生する情報再生方法であって、その情報記録媒体は、所定の半径位置に配置されたエンボスリードイン領域と、前記エンボスリードイン領域に隣接しこの領域より外周側に配置された領域であって、相変化記録マークによりユーザデータが記録されるデータ領域と、を備え、前記エンボスリードイン領域は、前記エンボスリードイン領域の最内周の半径位置から外周側に向かって第１の半径距離までの間に配置される第１のガードトラックと、前記エンボスリードイン領域の最外周の半径位置から内周側に向かって第２の半径距離までの間に配置される第２のガードトラックと、前記第１及び第２のガードトラックの間に配置され、エンボスピットによりリードインデータが記録されたデータ記録トラックと、を備え、前記第１及び第２のガードトラックにより前記許容偏心誤差が吸収された前記データ記録トラックから前記リードインデータを再生する。
【００１４】
【発明の実施の形態】
以下、この発明の実施の形態について図面を参照して説明する。
【００１５】
図１２は、この発明に係る情報記録再生装置の一例を示す図である。この情報記録再生装置は、この発明の情報記録媒体（光ディスク１）に対して情報を記録したり、この情報記録媒体に記録された情報を再生したりするものである。
【００１６】
図１２に示すように、レーザ光源１１１より放射された光ビームはコリメートレンズ１１２で平行光となり、偏光ビームスプリッタ（以下ＰＢＳ）１１３に入射し透過する。ＰＢＳ１１３を透過したビームは４分の１波長板１１４を透過し、対物レンズ１１５により光ディスク１の情報記録面に集光される。
【００１７】
集光されたビームは、図示しないフォーカスサーボ・トラッキングサーボ系により、記録面上に最良の微小スポットが得られる状態で維持されるように制御が掛けられる。この発明の情報記録媒体のように、光ディスク１上に情報記録面が複数、積層方向に存在する場合には、フォーカスサーボ系により記録再生すべき情報記録面が選択され、目標とする情報記録面上に最良の微小スポットが得られる状態で維持されるように制御される。
【００１８】
光ディスク１上に照射されたビームは情報記録面内の反射膜あるいは反射性記録膜により反射される。反射光は対物レンズ１１５を逆方向に透過し、再度平行光となる。反射光は４分の１波長板１１４を透過し、入射光に対して垂直な偏光を持ち、ＰＢＳ１１３では反射される。ＰＢＳ１１３で反射されたビームは集光レンズ１１６により収束光となり、光検出器１１７に入射される。光検出器１１７に入射した光束は光電変換されて電気信号となり、プリアンプ１１８に送られる。プリアンプ１１８にて増幅された信号は信号処理回路１１９にて等化、２値化の処理をされ、復調回路１２０に送られる。復調回路１２０では所定の変調方式に対応した復調動作を施されて、記録情報の再生データ１２１となる。
【００１９】
一方、記録データ（データシンボル）１２２は、変調回路１２３により所定のチャネルビット系列に変調される。記録データ１２２に対応したビット系列１２４は、記録制御回路１２５によりレーザ駆動波形に変換される。記録制御回路１２５は、レーザ１１１をパルス駆動し、所望のビット系列１２４に対応したデータを光ディスク１上に記録する。
【００２０】
図５は、この発明の情報記録媒体の概略を示す断面図である。この発明の情報記録媒体は情報記録層を複数有しており、図５は一例として２層ディスクの断面図を示す。図５に示すように、基板２１上に第２の情報記録層２２、中間層２３を介して第１の情報記録層２４が形成されている。さらに第１の情報記録層２４上に保護層２５が設けられている。対物レンズ１１５から照射される光ビーム２６は、保護層２５側から入射され、第１の情報記録層２４若しくは第２の情報記録層２２に焦点が合うように制御される。
【００２１】
第１の情報記録層２４への記録若しくは再生時には、第１の情報記録層２４及び中間層２３を介して第２の情報記録層２２に到達した光が、第２の情報記録層２２で反射し、その逆の経路を辿って、第１の情報記録層２４での反射光と同様に光検出器１１７に入る。また、第２の情報記録層２２への記録若しくは再生時には、第１の情報記録層２４で反射した光が、第２の情報記録層２２での反射光と同様に光検出器１１７に入ることになる。
【００２２】
このような多層の書換型ディスクにおいて、各情報記録層にエンボスプリピット列によるエンボスリードイン領域を有する場合の、エンボスプリピット列の他の層への影響を考えてみる。
【００２３】
第１の情報記録層２４（第１層と略記）及び第２の情報記録層２２（第２層と略記）が設けられたディスクの、第２層から得られる再生信号を図６に示す。この図６では、二つのケースの再生信号を示す。一つは、第１層及び第２層の同一位置（対物レンズ側から見て重なり合う位置）に、案内溝（トラック）のみが形成されており、エンボス部がなく相変化マークも記録されていない場合である。もう一つは、第１層及び第２層の同一位置のうち、第１層にはエンボスプリピット列のトラックがあり、第２層には案内溝のみでエンボス部がなく相変化マークが記録されていない場合である。図６から分かるように、第２層の同一条件のエリアを再生したにも関わらず、第１層の影響により再生信号にレベル差が生じる。
【００２４】
ここで、各層が図７に示すように、内周側にエンボスリードイン領域を有し、その外周側に書き換え可能なデータ領域を有するようなディスク構造を取り、さらに図７に示すように第１層（対物レンズ側から見て手前）と第２層（対物レンズ側から見て奥）とで芯ずれ（偏心誤差）がある場合を考える。このようなディスクの第２層における所定トラック再生時に得られる再生信号レベルを図８に示す。この所定トラックは、第２層におけるエンボスリードイン領域の、例えば最外周のトラックであるとする。第１層に重ね合わせて考えると、この所定のトラックのある部分は第１層のエンボスリードイン領域に重複しない部分、つまりデータ領域に重複する部分を通過しており、別の部分は第１層のエンボスリードイン領域に重複する部分を通過している。このような現象が生じる原因は、第１層及び第２層の偏心誤差である。図８に示されているように、再生信号は、第１層及び第２層の両層においてエンボスリードイン領域が重ならない部分から重なっている部分へは、遷移期間を経て、再生信号のレベルが変化する。
【００２５】
図９にヘッダフィールド（ＨＦ）信号を２値化する２値化回路の一例を示す。この２値化回路は、図１２に示す信号処理回路１１９の一部である。この２値化回路は、スライスレベルをディスク内のレベル変動に追従させるためにデューティーフィードバック構成となっている。ＨＦ信号は、コンパレータ９１の正入力に入力され、コンパレータ９１で反転入力に入力された電圧と比較されて２値化される。コンパレータ９１の出力と反転出力は、差動増幅器９２に入力され、差動増幅器９２の出力は、積分器９３に入力され、積分器９３の出力がコンパレータ９１の反転入力に入力される。積分器９３の時定数は、傷、ゴミなどには反応せず、ディスク内のレベル変動に追随できるように設計される。２値化回路は、図８のような信号の変化に対して、スライスすべきレベルを追従させることになるが、急激な変化には応答しないため、信号レベルが変化している間とその直後では２値化エラーが生じてしまい、情報が正しく再生できないことになる。このような信号の変化は、第２層再生時同様、第１層再生時にも発生する。
【００２６】
次に、各層が図１０に示すように、内周側にエンボスリードイン領域を有し、このエンボスリードイン領域の外周側に書き換え可能なデータ領域を有し、このエンボスリードイン領域の内周側にエンボスプリピットが形成されていないミラー領域を有するようなディスク構造を取り、さらに図１０に示すように第１層（対物レンズ側から見て手前）と第２層（対物レンズ側から見て奥）とで芯ずれ（偏心誤差）がある場合を考える。このようなディスクの第２層における所定トラック再生時に得られる再生信号レベルを図１１に示す。この所定トラックは、第２層におけるエンボスリードイン領域の、例えば最内周のトラックであるとする。第１層に重ね合わせて考えると、この所定のトラックのある部分は第１層のエンボスリードイン領域に重複しない部分、つまりミラー領域に重複する部分を通過しており、別の部分は第１層のエンボスリードイン領域に重複する部分を通過している。このような現象が生じる原因は、第１層及び第２層の偏心誤差である。図１１に示されているように、再生信号は、第１層及び第２層の両層においてエンボスリードイン領域が重ならない部分から重なっている部分へは、遷移期間を経て、再生信号のレベルが変化する。このような再生信号のレベル変化に２値化回路が追従せず、２値化エラーが生じてしまうのは、上記した説明と同じである。このような信号の変化は、第２層再生時同様、第１層再生時にも発生する。
【００２７】
上記問題点を解決するため、この発明の情報記録媒体は、以下のように構成される。
【００２８】
図１は、本発明に係る光学式情報記録媒体のフォーマットの一例を示す図である。この光学式情報記録媒体は、中心穴１５を有し、さらに許容偏心誤差の範囲で貼り合せられたディスク状の複数の情報記録層を有する。各情報記録層は、中心から同一半径位置に、記録再生領域（データ領域）１１及びエンボスリードイン領域１２を備えている。
【００２９】
データ領域１１は、エンボスリードイン領域に隣接しこの領域より外周側に配置された領域であって、エンボスピットにより物理アドレスが記録されており、相変化記録マークによりユーザデータが記録される領域である。
【００３０】
エンボスリードイン領域１２は、所定の半径位置に配置された領域である。このエンボスリードイン領域１２には、エンボスピットにより形成されるスパイラルトラックが配置されている。そのうち、エンボスリードイン領域の最内周の半径位置から外周側に向かって第１の半径距離までの間に配置されるスパイラルトラックが、第１のガードトラックに相当する。エンボスリードイン領域の最外周の半径位置から内周側に向かって第２の半径距離までの間に配置されるスパイラルトラックが、第２のガードトラックに相当する。エンボスリードイン領域における第１及び第２のガードトラック以外のトラック（データ記録トラック）には、エンボスピットにより物理アドレスとリードインデータが記録されている。つまり、第１及び第２のガードトラックの間に配置されたトラック（データ記録トラック）には、エンボスピットにより物理アドレスとリードインデータが記録されている。一方、第１及び第２のガードトラックには、エンボスプリピットによる物理アドレスデータとダミーデータ（意味の無いデータ）とが記録されている。ダミーデータは、例えば「０」の連続でもよいし、ランダムなデータであってもよい。
【００３１】
ここで、図１３を参照して、情報記録媒体全面に記録された物理アドレスデータについて説明する。各情報記録層は、上記したように、エンボスリードイン領域及びデータ領域を備えている。さらに、各情報記録層は、データ領域に隣接するエンボスリードアウト領域を備えている。このエンボスリードアウト領域には、エンボスリードイン領域に記録されるデータと同じデータが記録されている。
【００３２】
各情報記録層は、内周側から外周側に向かって、第１及び第２のガードトラックを含むスパイラルトラックを有している。つまり、エンボスリードイン領域、データ領域、及びエンボスリードアウト領域にわたり、スパイラルトラックが形成されている。このスパイラルトラックには、一定間隔毎に、エンボスピットによる物理アドレスデータが記録されている。物理アドレスデータの割り振り方には、例えば２通りある。一つは、各情報記録層において、内周側から外周側に向かって、物理アドレスデータを割り振る方法である。つまり、各情報記録層において、パラレルに物理アドレスデータが割り振られる方法である。もう一つは、ある情報記録層においては内周側から外周側に向かって物理アドレスデータを割り振り、次の情報記録層においては外周側から内周側に向かって物理アドレスデータを割り振る方法である。つまり、各情報記録層において、オポジットに物理アドレスデータが割り振られる方法である。
【００３３】
図２は、図１に示す光学式情報記録媒体の断面を模式的に示す図である。基板２１上に第２の情報記録層２２が形成され、さらに中間層２３を介して第１の情報記録層２４が形成され、この第１の情報記録層２４の上に保護層２５が形成される。図示しない光ビームは、保護層側から照射される。図２は、第１の情報記録層２４（第１層と略記）と第２の情報記録装置２２（第２層と略記）の中心がずれている場合を示している。つまり、第１層及び第２層は、許容偏心誤差の範囲で貼り合せられている。
【００３４】
エンボスリードイン領域１２の最内周の半径位置から外周側に向かって第１の半径距離までの間に第１のガードトラック２６及び２７が配置され、エンボスリードイン領域１２の最外周の半径位置から内周側に向かって第２の半径距離までの間に第２のガードトラック２８及び２９が配置されている。エンボスリードイン領域１２をこのような構造にすることにより、エンボスリードイン領域におけるリードインデータが記録された部分（情報記録領域＝データ記録トラック）は、必ず他層のエンボスプリピット列と重なることになる。これにより、情報記録領域では、ヘッダフィールドの信号レベルの大きな変動は起きなくなり、２値化回路のスライスレベルが追従しないことによるエラーは発生しなくなる。
【００３５】
ここで、光学式情報記録媒体に許容される偏心量（許容偏心誤差）をｘとしたとき、層間のずれはｘ以下となる。このため、第１及び第２のガードトラックが配置される半径距離（領域）は、少なくともｘの距離（幅）を有することが好ましい。
【００３６】
さらには、光学式情報記録媒体に許容される偏心量をｘ、各層間の物理距離をｔ、情報の記録再生に用いる対物レンズＮＡ（開口数）＝ｎ・ｓｉｎθ（ｎ：各層間の中間層の屈折率）としたとき、図３に示すように、第２の層に焦点が結ばれた状態での第１層上の光ビーム２６の半径は、ｔ・tanθで表される。このため、第１及び第２のガードトラックが配置される半径距離（領域）は、少なくとも（ｘ＋ｔ・tanθ）の距離（幅）を有することが好ましい。
【００３７】
なお、第１層に焦点が結ばれた状態での第２層上の光ビーム２６の半径も同様にｔ・tanθで表される。
【００３８】
次に、図４を用いてリードイン領域における１セクタのデータ構造について説明する。リードイン領域には、エンボスピット配列によりトラックが形成されている。物理アドレス、リードインデータ、及びダミーデータは、このエンボスピットにより記録されている。ある物理アドレスから次の物理アドレスまでの間隔を１セクタとする。
【００３９】
図４（ａ）は、エンボスリードイン領域のガードトラック以外のトラック（データ記録トラック）における１セクタのデータ構造を示す図である。図４（ａ）に示されているように、１セクタは物理アドレス部とデータ部から成っている。物理アドレス部には、エンボスピットにより物理アドレスが記録されている。データ部には、エンボスピットによりディスクの構造や記録再生パラメータなどの物理フォーマット情報が記録されている。
【００４０】
図４（ｂ）は、エンボスリードイン領域のガードトラックにおける１セクタのデータ構造を示す図である。図４（ｂ）に示されているように、１セクタは物理アドレス部とデータ部から成っている。物理アドレス部には、エンボスピットにより物理アドレス情報が記録されている。データ部には、エンボスピットによりダミーデータが記録されている。
【００４１】
上述したように、データ領域に内接するエンボスリードイン領域内の内周側に第１の所定距離分の第１のガードトラックを設け、さらにエンボスリードイン領域内の外周側に第２の所定距離分の第２のガードトラックを設け、これらガードトラックにはリードインデータを記録しない。これにより、２層以上の情報記録層を有する光学式情報記録媒体であっても、エンボスリードインデータを正確に再生することができる。
【００４２】
つまり、図１２に示す情報記録再生装置の復調回路１２０は、第１及び第２のガードトラックにより許容偏心誤差の影響がカットされたデータ記録トラックからリードインデータを正しく再生することができる。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４４】
【発明の効果】
この発明によれば下記の情報記録媒体、情報再生装置、及び情報再生方法を提供できる。
【００４５】
（１）偏心誤差を吸収して、偏心誤差の影響により再生が不安定になるのを防止することが可能な情報記録媒体。
【００４６】
（２）偏心誤差の影響を受けることなく、正確に情報を再生することが可能な情報再生装置。
【００４７】
（３）偏心誤差の影響を受けることなく、正確に情報を再生することが可能な情報再生方法。
【図面の簡単な説明】
【図１】本発明に係る光学式情報記録媒体のフォーマットの一例を示す図である。
【図２】図１に示す光学式情報記録媒体の断面を模式的に示す図である。
【図３】図１に示す光学式情報記録媒体の一方の情報記録層に光ビームがジャストフォーカスしたときの、他方の情報記録層における光ビームの半径距離を説明するための図である。
【図４】リードイン領域における１セクタのデータ構造を示す図である。
【図５】本発明に係る光学式情報記録媒体を示す断面図である。
【図６】複数の情報記録層を有する情報記録媒体において、各情報記録層のエンボスリードイン領域が重なっている領域から得られる再生信号と、重なっていない領域から得られる再生信号との信号レベル差を示す図である。
【図７】エンボスリードイン領域の外周側で起こり得る問題を説明するための図である。
【図８】図７と同様、エンボスリードイン領域の外周側で起こり得る問題を説明するための図であり、エンボスリードイン領域が重なっているときと、重なっていないときに生じるＨＦ信号の不具合を説明するための図である。
【図９】ＨＦ信号を２値化する２値化回路の概略構成を示すブロック図である。
【図１０】エンボスリードイン領域の内周側で起こり得る問題を説明するための図である。
【図１１】図１０と同様、エンボスリードイン領域の内周側で起こり得る問題を説明するための図であり、エンボスリードイン領域が重なっているときと、重なっていないときに生じるＨＦ信号の不具合を説明するための図である。
【図１２】この発明に係る情報記録再生装置の一例を示すブロック図である。
【図１３】物理アドレスデータの割り当てを説明するための図である。
【符号の説明】
１…光ディスク
１１…記録再生領域（データ領域）
１２…エンボスリードイン領域
１３…第１のガードトラック
１４…第２のガードトラック
１５…中心穴
１１１…レーザ光源
１１２…コリメートレンズ
１１３…偏光ビームスプリッタ（ＰＢＳ）
１１４…４分の１波長板
１１５…対物レンズ
１１６…集光レンズ
１１７…光検出器１１７
１１８…プリアンプ
１１９…信号処理回路
１２０…復調回路
１２１…再生データ
１２２…記録データ（データシンボル）
１２３…変調回路
１２４…ビット系列
１２５…記録制御回路
【図１】
0003954322.tif 000002
【図２】
0003954322.tif 000003
【図３】
0003954322.tif 000004
【図４】
0003954322.tif 000005
【図５】
0003954322.tif 000006
【図６】
0003954322.tif 000007
【図７】
0003954322.tif 000008
【図８】
0003954322.tif 000009
【図９】
0003954322.tif 000010
【図１０】
0003954322.tif 000011
【図１１】
0003954322.tif 000012
【図１２】
0003954322.tif 000013
【図１３】
0003954322.tif 000014